(57)【要約】      （修正有）【課題】ユーザ機器（ＵＥ）がセル再選択を促進する方法を提供する。【解決手段】サービングセルの信号品質が第１のしきい値を下回ると決定されたときおよび隣接セルの信号品質が隣接セルしきい値を超えるとき、隣接セルに再選択するための再選択タイマを開始し、サービングセルの信号品質が第２のしきい値を下回るとき、サービングセルの信号品質と隣接セルの信号品質との間の差に少なくとも部分的に基づいて、隣接セルへの再選択を高速化する。隣接セルへの再選択を高速化することは、再選択タイマを変更することなく、再選択タイマのスケジュールされた満了よりも前に、隣接セルに再選択する。【選択図】図１１
2020114010.tif 000002
【特許請求の範囲】
【請求項１】
ワイヤレス通信のための方法であって、
サービングセルの信号品質が第１のしきい値を下回ると決定されたとき、隣接セルに再選択するための再選択タイマを開始することと、
前記サービングセルの前記信号品質が第２のしきい値を下回るとき、前記サービングセルの前記信号品質と前記隣接セルの前記信号品質との間の差に少なくとも部分的に基づいて、前記隣接セルへの再選択を高速化することと
を備える方法。
【請求項２】
前記サービングセルの前記信号品質と前記隣接セルの前記信号品質との間の前記差が、第３のしきい値を上回るとき、前記隣接セルへの前記再選択を高速化することをさらに備える、請求項１に記載の方法。
【請求項３】
前記隣接セルへの前記再選択を高速化することは、前記再選択タイマのスケジュールされた満了よりも前に、前記隣接セルに再選択することを備える、請求項１に記載の方法。
【請求項４】
前記再選択することは、ユーザ機器上の呼のセットアップよりも前に生じる、請求項１に記載の方法。
【請求項５】
前記第１のしきい値は、ユーザ機器（ＵＥ）により定義されたしきい値である、請求項１に記載の方法。
【請求項６】
ワイヤレス通信のための装置であって、
メモリユニットと、
前記メモリユニットに結合された少なくとも１つのプロセッサと
を備え、前記少なくとも１つのプロセッサは、
サービングセルの信号品質が第１のしきい値を下回ると決定されたとき、隣接セルに再選択するための再選択タイマを開始することと、
前記サービングセルの前記信号品質が第２のしきい値を下回るとき、前記サービングセルの前記信号品質と前記隣接セルの前記信号品質との間の差に少なくとも部分的に基づいて、前記隣接セルへの再選択を高速化することと
を行うように構成される、装置。
【請求項７】
前記少なくとも１つのプロセッサは、前記サービングセルの前記信号品質と前記隣接セルの前記信号品質との間の前記差が、第３のしきい値を上回るとき、前記隣接セルへの前記再選択を高速化するようにさらに構成される、請求項６に記載の装置。
【請求項８】
前記少なくとも１つのプロセッサは、前記再選択タイマのスケジュールされた満了よりも前に、前記隣接セルに再選択することによって、前記再選択を高速化するようにさらに構成される、請求項６に記載の装置。
【請求項９】
前記再選択することは、ユーザ機器上の呼のセットアップよりも前に生じる、請求項６に記載の装置。
【請求項１０】
前記第１のしきい値は、ユーザ機器（ＵＥ）により定義されたしきい値である、請求項６に記載の装置。
【請求項１１】
ワイヤレス通信のための装置であって、
サービングセルの信号品質が第１のしきい値を下回ると決定されたとき、隣接セルに再選択するための再選択タイマを開始するための手段と、
前記サービングセルの前記信号品質が第２のしきい値を下回るとき、前記サービングセルの前記信号品質と前記隣接セルの前記信号品質との間の差に少なくとも部分的に基づいて、前記隣接セルへの再選択を高速化するための手段と
を備える装置。
【請求項１２】
前記サービングセルの前記信号品質と前記隣接セルの前記信号品質との間の前記差が、第３のしきい値を上回るとき、前記隣接セルへの前記再選択を高速化するための手段をさらに備える、請求項１１に記載の装置。
【請求項１３】
前記隣接セルへの前記再選択を高速化するための前記手段は、前記再選択タイマのスケジュールされた満了よりも前に、前記隣接セルに再選択するための手段を備える、請求項１１に記載の装置。
【請求項１４】
前記再選択することは、ユーザ機器上の呼のセットアップよりも前に生じる、請求項１１に記載の装置。
【請求項１５】
前記第１のしきい値は、ユーザ機器（ＵＥ）により定義されたしきい値である、請求項１１に記載の装置。
【請求項１６】
プログラムコードを記録した非一時的なコンピュータ可読媒体であって、前記プログラムコードは、プロセッサによって実行され、
サービングセルの信号品質が第１のしきい値を下回ると決定されたとき、隣接セルに再選択するための再選択タイマを開始するためのプログラムコードと、
前記サービングセルの前記信号品質が第２のしきい値を下回るとき、前記サービングセルの前記信号品質と前記隣接セルの前記信号品質との間の差に少なくとも部分的に基づいて、前記隣接セルへの再選択を高速化するためのプログラムコードと
を備える、非一時的なコンピュータ可読媒体。
【請求項１７】
前記プログラムコードは、前記サービングセルの前記信号品質と前記隣接セルの前記信号品質との間の前記差が、第３のしきい値を上回るとき、前記隣接セルへの前記再選択を高速化するためのプログラムコードをさらに備える、請求項１６に記載の非一時的なコンピュータ可読媒体。
【請求項１８】
前記隣接セルへの前記再選択を高速化するための前記プログラムコードは、前記再選択タイマのスケジュールされた満了よりも前に、前記隣接セルに再選択するためのプログラムコードをさらに備える、請求項１６に記載の非一時的なコンピュータ可読媒体。
【請求項１９】
前記再選択することは、ユーザ機器上の呼のセットアップよりも前に生じる、請求項１６に記載の非一時的なコンピュータ可読媒体。
【請求項２０】
前記第１のしきい値は、ユーザ機器（ＵＥ）により定義されたしきい値である、請求項１６に記載の非一時的なコンピュータ可読媒体。
【発明の詳細な説明】
【技術分野】
【０００１】
[0001]本開示の態様は、一般にワイヤレス通信システムに関し、さらに詳細には、促進されたセル再選択（expedited cell reselection）に関する。
【背景技術】
【０００２】
[0002]ワイヤレス通信ネットワークは、電話通信、ビデオ、データ、メッセージング、ブロードキャスト、等のような、様々な通信サービスを提供するために広く展開されている。このようなネットワークは、通常は多元接続ネットワークであり、利用可能なネットワークリソースを共有することによって、複数のユーザのための通信をサポートする。このようなネットワークの一例は、ユニバーサル地上無線アクセスネットワーク（ＵＴＲＡＮ）である。ＵＴＲＡＮは、第３世代パートナーシッププロジェクト（３ＧＰＰ（登録商標））によってサポートされる第３世代（３Ｇ）モバイル電話技術である、ユニバーサルモバイルテレコミュニケーションシステム（ＵＭＴＳ）の一部として定義された無線アクセスネットワーク（ＲＡＮ）である。モバイル通信のためのグローバルシステム（ＧＳＭ（登録商標））技術の後継技術であるＵＭＴＳは、現在、広帯域符号分割多元接続（Ｗ−ＣＤＭＡ（登録商標））、時分割符号分割多元接続（ＴＤ−ＣＤＭＡ）、および時分割同期符号分割多元接続（ＴＤ−ＳＣＤＭＡ）のような、様々なエアインタフェース規格をサポートする。例えば、中国は、その既存のＧＳＭインフラストラクチャをコアネットワークとしながら、ＵＴＲＡＮアーキテクチャにおける基礎をなすエアインタフェースとしてＴＤ−ＳＣＤＭＡを推進している。ＵＭＴＳはまた、関連付けられたＵＭＴＳネットワークに、より高速なデータ転送速度およびキャパシティ（capacity）を提供する、高速パケットアクセス（ＨＳＰＡ）のような、エンハンスト３Ｇデータ通信プロトコルをサポートする。ＨＳＰＡは、既存の広帯域プロトコルのパフォーマンスを拡張および改善する、２つのモバイル電話通信プロトコル、高速ダウンリンクパケットアクセス（ＨＳＤＰＡ）および高速アップリンクパケットアクセス（ＨＳＵＰＡ）の集合である。
【０００３】
[0003]モバイルブロードバンドアクセスに対する需要が増大し続けるにつれて、ワイヤレス技術におけるさらなる改善の必要性がある。望ましくは、これらの改善は、ＬＴＥ（登録商標）および他の多元接続（multi-access）技術およびこれらの技術を用いる電気通信規格に適用可能であるべきである。
【発明の概要】
【０００４】
[0004]本開示の一態様によると、ワイヤレス通信の方法が、サービングセルの信号品質が第１のしきい値を下回ると決定されたとき、隣接セルに再選択するための再選択タイマを開始することを含む。方法はまた、サービングセルの信号品質が第２のしきい値を下回るとき、サービングセルの信号品質と隣接セルの信号品質との間の差に基づいて、隣接セルへの再選択を高速化すること（speeding up reselecting）を含む。
【０００５】
[0005]本開示の別の態様によると、ワイヤレス通信のための装置が、サービングセルの信号品質が第１のしきい値を下回ると決定されたとき、隣接セルに再選択するための再選択タイマを開始するための手段を含む。装置はまた、サービングセルの信号品質が第２のしきい値を下回るとき、サービングセルの信号品質と隣接セルの信号品質との間の差に基づいて、隣接セルへの再選択を高速化するための手段を含み得る。
【０００６】
[0006]別の態様が、ワイヤレス通信のための装置を開示し、メモリと、メモリに結合された少なくとも１つのプロセッサ（例えば、１つまたは複数のプロセッサ）とを含む。（１つまたは複数の）プロセッサは、サービングセルの信号品質が第１のしきい値を下回ると決定されたとき、隣接セルに再選択するための再選択タイマを開始するように構成される。（１つまたは複数の）プロセッサはまた、サービングセルの信号品質が第２のしきい値を下回るとき、サービングセルの信号品質と隣接セルの信号品質との間の差に基づいて、隣接セルへの再選択を高速化するように構成される。
【０００７】
[0007]なお別の態様が、（１つまたは複数の）プロセッサによって実行されると、（１つまたは複数の）プロセッサに、サービングセルの信号品質が第１のしきい値を下回ると決定されたとき、隣接セルに再選択するための再選択タイマを開始することを行わせる非一時的なプログラムコードを記録した非一時的なコンピュータ可読記憶媒体を開示する。プログラムコードはまた、（１つまたは複数の）プロセッサに、サービングセルの信号品質が第２のしきい値を下回るとき、サービングセルの信号品質と隣接セルの信号品質との間の差に基づいて、隣接セルへの再選択を高速化することを行わせる。
【０００８】
[0008]これは、以下の詳細な説明がより良く理解され得るように、本開示の特徴および技術的利点をどちらかと言えば広く概説している。本開示の追加の特徴および利点が、以下で説明される。本開示が、本開示と同じ目的を実行するための他の構造を修正（modifying）または設計するための基礎として容易に利用され得ることが、当業者によって理解されるべきである。また、そのような同等の構造が、添付された特許請求の範囲に示される本開示の教示から逸脱しないことも、当業者によって認識されるべきである。さらなる目的および利点と共に、その構成および動作の方法の両方について、本開示の特徴であると考えられる新規の特徴は、添付の図面に関連して考慮されるとき、以下の説明からより良く理解されるであろう。しかしながら、図面の各々は、例示および説明のみの目的で提供されており、本開示の限定の定義として意図されるものではないことが、明確に理解されるべきである。
【図面の簡単な説明】
【０００９】
[0009]本開示の特徴、性質、および利点は、同様の参照符号が全体を通して同様のものを指す図面と共に考慮されるとき、以下に示される詳細な説明からより明らかになるであろう。
【図１】[0010]図１は、ネットワークアーキテクチャの例を例示する図である。
【図２】[0011]図２は、ロングタームエボリューション（ＬＴＥ）におけるダウンリンクフレーム構造の例を例示する図である。
【図３】[0012]図３は、ロングタームエボリューション（ＬＴＥ）におけるアップリンクフレーム構造の例を例示する図である。
【図４】[0013]図４は、時分割同期符号分割多元接続（ＴＤ−ＳＣＤＭＡ）規格を用いるテレコミュニケーションシステムの例を概念的に例示するブロック図である。
【図５】[0014]図５は、時分割同期符号分割多元接続キャリアのためのフレーム構造の例を概念的に例示するブロック図である。
【図６】[0015]図６は、テレコミュニケーションシステムにおいてユーザ機器（ＵＥ）と通信状態にある基地局の例を概念的に例示するブロック図である。
【図７】[0016]図７は、本開示の態様による、ネットワークカバレッジエリアを例示する図である。
【図８】[0017]図８は、サービングセルおよびイントラ／インター周波数セル（intra/inter-frequency cells）の測定および評価を例示するブロック図である。
【００１０】
[0018]本開示の一態様による複数のセル。
【図９】[0019]図９は、本開示の態様による、例となるプロセスを例示するフロー図である。
【図１０】[0020]図１０は、本開示の一態様による、サービングセルおよびイントラ／インター周波数セルの測定および評価を例示するブロック図である。
【図１１】[0021]図１１は、本開示の一態様による、セル再選択を促進するための方法を例示するブロック図である。
【図１２】[0022]図１２は、本開示の一態様による、処理システムを用いた装置のためのハードウェアインプリメンテーションの例を例示する図である。
【発明の詳細な説明】
【００１１】
[0023]添付された図面に関連して以下に示される詳細な説明は、様々な構成の説明として意図され、ここで説明される概念が実施され得る唯一の構成を表すようには意図されない。詳細な説明は、様々な概念の完全な理解を提供することを目的とした特定の詳細を含む。しかしながら、これらの概念が、これらの特定の詳細なしで実施され得ることは、当業者にとって明らかであろう。いくつかの事例では、周知の構造およびコンポーネントが、このような概念を曖昧にすることを避けるために、ブロック図形式で示される。
【００１２】
[0024]図１は、ロングタームエボリューション（ＬＴＥ）ネットワークのネットワークアーキテクチャ１００を例示する図である。ＬＴＥネットワークアーキテクチャ１００は、発展型パケットシステム（ＥＰＳ）１００と呼ばれ得る。ＥＰＳ１００は、１つまたは複数のユーザ機器（ＵＥ）１０２、発展型ＵＭＴＳ地上無線アクセスネットワーク（Ｅ−ＵＴＲＡＮ）１０４、発展型パケットコア（ＥＰＣ）１１０、ホーム加入者サーバ（ＨＳＳ）１２０、およびオペレータ（operator）のＩＰサービス１２２を含み得る。ＥＰＳは、他のアクセスネットワークと相互接続することができるが、簡潔さのために、それらのエンティティ／インタフェースは示されていない。示されるように、ＥＰＳ１００は、パケット交換サービスを提供する、しかしながら、当業者が容易に理解するであろうように、本開示の全体を通して提示される様々な概念は、回線交換サービスを提供するネットワークに拡張され得る。
【００１３】
[0025]Ｅ−ＵＴＲＡＮ１０４は、発展型ノードＢ（ｅノードＢ）１０６および他のｅノードＢ１０８を含む。ｅノードＢ１０６は、ＵＥ１０２に対してユーザおよび制御プレーンプロトコル終端（terminations）を提供する。ｅノードＢ１０６は、バックホール（例えば、Ｘ２インタフェース）を介して他のｅノードＢ１０８に接続され得る。ｅノードＢ１０６はまた、基地局、ベーストランシーバ局、無線基地局、無線トランシーバ、トランシーバ機能、基本サービスセット（ＢＳＳ）、拡張サービスセット（ＥＳＳ）、または何らかの他の適切な用語で呼ばれ得る。ｅノードＢ１０６は、ＵＥ１０２のためにＥＰＣ１１０へのアクセスポイントを提供する。ＵＥ１０２の例は、セルラ電話、スマートフォン、セッション開始プロトコル（ＳＩＰ）電話、ラップトップ、ノートブック、ネットブック、スマートブック、携帯情報端末（ＰＤＡ）、衛星ラジオ、全地球測位システム、マルチメディアデバイス、ビデオデバイス、デジタルオーディオプレーヤ（例えば、ＭＰ３プレーヤ）、カメラ、ゲーム機器、またはその他任意の同様に機能するデバイスを含む。ＵＥ１０２はまた、当業者によって、モバイル局または装置、加入者局、モバイルユニット、加入者ユニット、ワイヤレスユニット、遠隔ユニット、モバイルデバイス、ワイヤレスデバイス、ワイヤレス通信デバイス、遠隔デバイス、モバイル加入者局、アクセス端末、モバイル端末、ワイヤレス端末、遠隔端末、ハンドセット、ユーザエージェント、モバイルクライアント、クライアント、または何らかの他の適切な用語で呼ばれ得る。
【００１４】
[0026]ｅノードＢ１０６は、例えば、Ｓ１インタフェースを介して、ＥＰＣ１１０に接続される。ＥＰＣ１１０は、モビリティ管理エンティティ（ＭＭＥ）１１２、他のＭＭＥ１１４、サービングゲートウェイ１１６、およびパケットデータネットワーク（ＰＤＮ）ゲートウェイ１１８を含む。ＭＭＥ１１２は、ＵＥ１０２とＥＰＣ１１０との間のシグナリングを処理する制御ノードである。一般に、ＭＭＥ１１２は、ベアラおよび接続管理を提供する。全てのユーザＩＰパケットは、それ自体がＰＤＮゲートウェイ１１８に接続されるサービングゲートウェイ１１６を通じて転送される。ＰＤＮゲートウェイ１１８は、ＵＥ ＩＰアドレス割振りのみならず、他の機能も提供する。ＰＤＮゲートウェイ１１８は、オペレータのＩＰサービス１２２に接続される。オペレータのＩＰサービス１２２は、インターネット、イントラネット、ＩＰマルチメディアサブシステム（ＩＭＳ）、およびＰＳストリーミングサービス（ＰＳＳ）を含み得る。
【００１５】
[0027]図２は、ＬＴＥにおけるダウンリンクフレーム構造の例を例示する図２００である。フレーム（１０ｍｓ）は、１０個の等しいサイズのサブフレームに分割され得る。各サブフレームは、２つの連続したタイムスロットを含み得る。リソースグリッドが、２つのタイムスロットを表すために使用され得、各タイムスロットは、リソースブロックを含む。リソースグリッドは、複数のリソース要素に分割される。ＬＴＥでは、リソースブロックは、周波数ドメインにおける１２個の連続したサブキャリアと、通常のサイクリックプレフィックスの場合、各ＯＦＤＭシンボル中に、時間ドメインにおける７個の連続したＯＦＤＭシンボルとを含み、すなわち、８４個のリソース要素を含む。拡張されたサイクリックプレフィックスの場合、リソースブロックは、時間ドメインにおける６個の連続したＯＦＤＭシンボルを含み、７２個のリソース要素を有する。Ｒ２０２、２０４として示されている、リソース要素のうちのいくつかは、ダウンリンク基準信号（ＤＬ−ＲＳ）を含む。ＤＬ−ＲＳは、セル固有のＲＳ（ＣＲＳ：cell-specific RS）（共通ＲＳと呼ばれることもある）２０２と、ＵＥ固有のＲＳ（ＵＥ−ＲＳ：UE-specific RS）２０４とを含む。ＵＥ−ＲＳ２０４は、対応する物理ダウンリンク共有チャネル（ＰＤＳＣＨ）がマッピングされたリソースブロック上でのみ送信される。各リソース要素によって搬送されるビットの数は、変調スキームに依存する。したがって、ＵＥが受信するリソースブロックが多いほど、および、変調スキームが高度であるほど、ＵＥのためのデータレートはより高くなる。
【００１６】
[0028]図３は、ＬＴＥにおけるアップリンクフレーム構造の例を例示する図３００である。アップリンクのために利用可能なリソースブロックは、データセクションと制御セクションとに区分され得る。制御セクションは、システム帯域幅の２つのエッジにおいて形成され得、設定可能なサイズを有し得る。制御セクションにおけるリソースブロックは、制御情報の送信のためにＵＥに割り当てられ得る。データセクションは、制御セクションに含まれない全てのリソースブロックを含み得る。アップリンクフレーム構造は、連続したサブキャリアを含むデータセクションをもたらし、これは、単一のＵＥに、データセクションにおける全ての連続したサブキャリアが割り当てられることを可能にし得る。
【００１７】
[0029]ＵＥは、ｅノードＢに制御情報を送信するために、制御セクションにおけるリソースブロック３１０ａ、３１０ｂを割り当てられ得る。ＵＥはまた、ｅノードＢにデータを送信するために、データセクションにおけるリソースブロック３２０ａ、３２０ｂを割り当てられ得る。ＵＥは、制御セクションにおける割り当てられたリソースブロック上で、物理アップリンク制御チャネル（ＰＵＣＣＨ）において、制御情報を送信し得る。ＵＥは、データセクションにおける割り当てられたリソースブロック上で、物理アップリンク共有チャネル（ＰＵＳＣＨ）において、データのみまたはデータと制御情報の両方を送信し得る。アップリンク送信は、サブフレームの両方のスロットにまたがり得、周波数にわたってホッピングし得る。
【００１８】
[0030]リソースブロックのセットは、物理ランダムアクセスチャネル（ＰＲＡＣＨ）３３０において、初期システムアクセスを実行し、アップリンク同期を達成するために使用され得る。ＰＲＡＣＨ３３０は、ランダムシーケンスを搬送し、いずれのアップリンクデータ／シグナリングも搬送することができない。各ランダムアクセスプリアンブルは、６個の連続したリソースブロックに対応する帯域幅を占有する。開始周波数（starting frequency）は、ネットワークによって指定される。すなわち、ランダムアクセスプリアンブルの送信は、ある特定の時間および周波数リソースに制限される。ＰＲＡＣＨについては、周波数ホッピングは存在しない。ＰＲＡＣＨの試み（PRACH attempt）は、単一のサブフレーム（１ｍｓ）中または少数の連続したサブフレームのシーケンス中で搬送され、ＵＥは、１フレーム（１０ｍｓ）につき単一のＰＲＡＣＨの試みのみを行うことができる。
【００１９】
[0031]ここで図４を参照すると、テレコミュニケーションシステム４００の例を例示するブロック図が示される。本開示全体を通して提示される様々な概念は、幅広い様々なテレコミュニケーションシステム、ネットワークアーキテクチャ、および通信規格にわたってインプリメントされ得る。限定ではなく例として、図４に例示される本開示の態様は、ＴＤ−ＳＣＤＭＡ規格を用いるＵＭＴＳシステムに関連して提示される。この例では、ＵＭＴＳシステムは、電話通信、ビデオ、データ、メッセージング、ブロードキャスト、および／または他のサービスを含む、様々なワイヤレスサービスを提供する無線アクセスネットワーク（ＲＡＮ）４０２（例えば、ＵＴＲＡＮ）を含む。ＲＡＮ４０２は、ＲＮＳ４０７のようないくつかの無線ネットワークサブシステム（ＲＮＳ）に分割され得、各々は、ＲＮＣ４０６のような、無線ネットワークコントローラ（ＲＮＣ）によって制御される。明確にするために、ＲＮＣ４０６およびＲＮＳ４０７のみが示されているが、ＲＡＮ４０２は、ＲＮＣ４０６およびＲＮＳ４０７に加えて、任意の数のＲＮＣおよびＲＮＳを含み得る。ＲＮＣ４０６は、特に、ＲＮＳ４０７内で無線リソースを割り当てる、再構成する、および解放することを担う装置である。ＲＮＣ４０６は、任意の適切なトランスポートネットワークを使用して、直接的な物理接続、仮想ネットワーク、または同様のもののような、様々なタイプのインタフェースを通じて、ＲＡＮ４０２における他のＲＮＣ（図示せず）に相互接続され得る。
【００２０】
[0032]ＲＮＳ４０７によってカバーされる地理的領域は、無線トランシーバ装置が各セルにサービスする、いくつかのセルに分割され得る。無線トランシーバ装置は、一般に、ＵＭＴＳアプリケーションにおいてノードＢと呼ばれるが、当業者によって、基地局（ＢＳ）、ベーストランシーバ局（ＢＴＳ）、無線基地局、無線トランシーバ、トランシーバ機能、基本サービスセット（ＢＳＳ）、拡張サービスセット（ＥＳＳ）、アクセスポイント（ＡＰ）、または何らかの他の適切な用語でも呼ばれ得る。明確にするために、２つのノードＢ４０８が示されているが、ＲＮＳ４０７は、任意の数のワイヤレスノードＢを含み得る。ノードＢ４０８は、任意の数のモバイル装置のために、コアネットワーク４０４へのワイヤレスアクセスポイントを提供する。例示を目的として、ノードＢ４０８と通信状態にある３つのＵＥ４１０が示される。順方向リンクとも呼ばれるダウンリンク（ＤＬ）は、ノードＢからＵＥへの通信リンクを指し、逆方向リンクとも呼ばれるアップリンク（ＵＬ）は、ＵＥからノードＢへの通信リンクを指す。
【００２１】
[0033]コアネットワーク４０４は、示されるように、ＧＳＭコアネットワークを含む。しかしながら、当業者が認識するであろうように、本開示全体を通して提示される様々な概念は、ＵＥにＧＳＭネットワーク以外のコアネットワークのタイプへのアクセスを提供するために、ＲＡＮ、または他の適切なアクセスネットワークにおいてインプリメントされ得る。
【００２２】
[0034]この例では、コアネットワーク４０４は、移動通信交換局（ＭＳＣ：mobile switching center）４１２およびゲートウェイＭＳＣ（ＧＭＳＣ）４１４を用いた回線交換サービスをサポートする。１つまたは複数のＲＮＣ、例えばＲＮＣ４０６は、ＭＳＣ４１２に接続され得る。ＭＳＣ４１２は、呼のセットアップ、呼のルーティング、およびＵＥモビリティ機能を制御する装置である。ＭＳＣ４１２はまた、ＵＥがＭＳＣ４１２のカバレッジエリア内にある持続時間の間、加入者関連情報を含むビジターロケーションレジスタ（ＶＬＲ）（図示せず）を含む。ＧＭＳＣ４１４は、ＵＥが回線交換ネットワーク４１６にアクセスするために、ＭＳＣ４１２を通じたゲートウェイを提供する。ＧＭＳＣ４１４は、特定のユーザが加入しているサービスの詳細を反映するデータのような、加入者データを含むホームロケーションレジスタ（ＨＬＲ）（図示せず）を含む。ＨＬＲはまた、加入者固有の認証データを含む認証センター（ＡｕＣ：authentication center）に関連付けられる。呼が特定のＵＥについて受信されるとき、ＧＭＳＣ４１４は、ＵＥの位置（location）を決定するためにＨＬＲに問い合わせ、その位置にサービスする特定のＭＳＣに呼を転送（forwards）する。
【００２３】
[0035]コアネットワーク４０４はまた、サービングＧＰＲＳサポートノード（ＳＧＳＮ：serving GPRS support node）４１８およびゲートウェイＧＰＲＳサポートノード（ＧＧＳＮ：gateway GPRS support node）４２０を用いてパケットデータサービスをサポートする。汎用パケット無線サービス（ＧＰＲＳ：general packet radio service）は、標準のＧＳＭ回線交換データサービスで利用可能なものよりも高速にパケットデータサービスを提供するように設計される。ＧＧＳＮ４２０は、ＲＡＮ４０２にパケットベースのネットワーク４２２への接続を提供する。パケットベースのネットワーク４２２は、インターネット、プライベートデータネットワーク、または何らかの他の適切なパケットベースのネットワークであり得る。ＧＧＳＮ４２０の主要な機能は、ＵＥ４１０にパケットベースのネットワーク接続性を提供することである。データパケットは、主に、ＭＳＣ４１２が回線交換ドメインで実行するのと同じ機能をパケットベースのドメインで実行するＳＧＳＮ４１８を通じて、ＧＧＳＮ４２０とＵＥ４１０との間で転送される（transferred）。
【００２４】
[0036]ＵＭＴＳエアインタフェースは、スペクトル拡散直接シーケンス符号分割多元接続（ＤＳ−ＣＤＭＡ）システムである。スペクトル拡散ＤＳ−ＣＤＭＡは、チップと呼ばれる擬似ランダムビットのシーケンスによる乗算を通じて、はるかに広い帯域幅にわたってユーザデータを拡散させる。ＴＤ−ＳＣＤＭＡ規格は、そのような直接シーケンススペクトル拡散技術に基づき、そしてさらに、多くの周波数分割複信（ＦＤＤ）モードのＵＭＴＳ／Ｗ−ＣＤＭＡシステムにおいて使用されるＦＤＤではなく、時分割複信（ＴＤＤ）を必要とする（calls for）。ＴＤＤは、ノードＢ４０８とＵＥ４１０との間のアップリンク（ＵＬ）およびダウンリンク（ＤＬ）の両方について同じキャリア周波数を使用するが、アップリンクおよびダウンリンク送信を、キャリアにおける異なるタイムスロットに分割する。
【００２５】
[0037]図５は、ＴＤ−ＳＣＤＭＡキャリアのためのフレーム構造５００を示す。ＴＤ−ＳＣＤＭＡキャリアは、例示されるように、１０ｍｓの長さのフレーム５０２を有する。ＴＤ−ＳＣＤＭＡにおけるチップレートは、１．２８Ｍｃｐｓである。フレーム５０２は、２つの５ｍｓのサブフレーム５０４を有し、サブフレーム５０４の各々は、７つのタイムスロット、ＴＳ０〜ＴＳ６を含む。第１のタイムスロット、ＴＳ０は、通常、ダウンリンク通信に対して割り振られ、一方、第２のタイムスロット、ＴＳ１は、通常、アップリンク通信に対して割り振られる。残りのタイムスロット、ＴＳ２〜ＴＳ６は、アップリンクまたはダウンリンクのいずれかのために使用され得、これは、アップリンク方向またはダウンリンク方向のいずれかにおいてより高いデータ送信のときに、より大きな柔軟性を可能にする。ダウンリンクパイロットタイムスロット（ＤｗＰＴＳ）５０６、ガード期間（ＧＰ）５０８、およびアップリンクパイロットタイムスロット（ＵｐＰＴＳ）５１０（アップリンクパイロットチャネル（ＵｐＰＣＨ）としても知られる）が、ＴＳ０とＴＳ１との間に位置する。各タイムスロット、ＴＳ０〜ＴＳ６は、最大１６個のコードチャネル上で多重化されるデータ送信を可能にし得る。コードチャネル上のデータ送信は、ミッドアンブル５１４（１４４チップの長さを有する）によって隔てられた２つのデータ部分５１２（各々が３５２チップの長さを有する）と、後続するガード期間（ＧＰ）５１６（１６チップの長さを有する）とを含む。ミッドアンブル５１４は、チャネル推定のような機能のために使用され得、一方、ガード期間５１６は、バースト間干渉を回避するために使用され得る。また、データ部分では、同期シフト（ＳＳ）ビット５１８を含む、何らかのレイヤ１制御情報が送信される。同期シフトビット５１８は、データ部分の第２の部分にのみ現れる。ミッドアンブルの直後の同期シフトビット５１８は、アップロード送信タイミングにおいて、シフトを低減させる、シフトを増大させる、または何もしない、という３つのケースを示すことができる。同期シフトビット５１８の位置（position）は、一般に、アップリンク通信中では使用されない。
【００２６】
[0038]図６は、アクセスネットワークにおいてＵＥ６５０と通信状態にある基地局（例えば、ｅノードＢまたはノードＢ）６１０のブロック図である。ダウンリンクでは、コアネットワークからの上位レイヤパケットが、コントローラ／プロセッサ６７５に提供される。コントローラ／プロセッサ６７５は、Ｌ２レイヤの機能をインプリメントする。ダウンリンクでは、コントローラ／プロセッサ６７５は、ヘッダの圧縮、暗号化、パケットセグメント化および並べ替え、論理チャネルとトランスポートチャネルとの間の多重化、および様々な優先順位の測定基準に基づくＵＥ６５０に対する無線リソース割振りを提供する。コントローラ／プロセッサ６７５はまた、ＨＡＲＱ動作、損失パケットの再送信、およびＵＥ６５０へのシグナリングを担う。
【００２７】
[0039]ＴＸプロセッサ６１６は、Ｌ１レイヤ（すなわち、物理レイヤ）のための様々な信号処理機能をインプリメントする。信号処理機能は、ＵＥ６５０において前方誤り訂正（ＦＥＣ）を容易にするために、コーディングおよびインタリーブすることと、様々な変調スキーム（例えば、２相位相シフトキーイング（ＢＰＳＫ）、４相位相シフトキーイング（ＱＰＳＫ）、Ｍ相位相シフトキーイング（Ｍ−ＰＳＫ）、Ｍ値直交振幅変調（Ｍ−ＱＡＭ））に基づいて信号コンステレーションにマッピングすることとを含む。その後、コーディングおよび変調されたシンボルは、複数の並列ストリームに分割される。その後、各ストリームは、ＯＦＤＭサブキャリアにマッピングされ、時間および／または周波数ドメインにおいて基準信号（例えば、パイロット）と多重化され、その後、逆高速フーリエ変換（ＩＦＦＴ）を使用して共に組み合わされて、時間ドメインＯＦＤＭシンボルストリームを搬送する物理チャネルを生成する。ＯＦＤＭストリームは、複数の空間ストリームを生成するために、空間的にプリコーディングされる。チャネル推定器６７４からのチャネル推定値は、コーディングおよび変調スキームを決定するためのみならず、空間処理のためにも使用され得る。チャネル推定値は、ＵＥ６５０によって送信されたチャネル状態フィードバックおよび／または基準信号から導出され得る。その後、各空間ストリームは、別個の送信機（ＴＸ）６１８を介して異なるアンテナ７２０に提供される。各送信機（ＴＸ）６１８は、送信用のそれぞれの空間ストリームを用いてＲＦキャリアを変調する。
【００２８】
[0040]ＵＥ６５０において、各受信機（ＲＸ）６５４は、そのそれぞれのアンテナ６５２を通じて信号を受信する。各受信機（ＲＸ）６５４は、ＲＦキャリア上に変調された情報を復元し、受信機（ＲＸ）プロセッサ６５６にその情報を提供する。ＲＸプロセッサ６５６は、Ｌ１レイヤの様々な信号処理機能をインプリメントする。ＲＸプロセッサ６５６は、ＵＥ６５０に宛てられた任意の空間ストリームを復元するために、その情報に対して空間処理を実行する。複数の空間ストリームがＵＥ６５０に宛てられている場合、それらは、ＲＸプロセッサ６５６によって、単一のＯＦＤＭシンボルストリームへと組み合わされ得る。その後、ＲＸプロセッサ６５６は、高速フーリエ変換（ＦＦＴ）を使用して、ＯＦＤＭシンボルストリームを時間ドメインから周波数ドメインに変換する。周波数ドメイン信号は、ＯＦＤＭ信号のサブキャリアごとに別個のＯＦＤＭシンボルストリームを備える。各サブキャリア上のシンボル、および基準信号は、基地局６１０によって送信された最も有望な（most likely）信号コンステレーションポイントを決定することによって復元および復調される。これらの軟判定は、チャネル推定器６５８によって計算されたチャネル推定値に基づき得る。その後、軟判定は、物理チャネル上で基地局６１０によって当初送信されたデータおよび制御信号を復元するために、復号およびデインタリーブされる。その後、データおよび制御信号は、コントローラ／プロセッサ６５９に提供される。
【００２９】
[0041]コントローラ／プロセッサ６５９は、Ｌ２レイヤをインプリメントする。コントローラ／プロセッサは、プログラムコードおよびデータを記憶するメモリ６６０に関連付けられることができる。メモリ６６０は、コンピュータ可読媒体と呼ばれ得る。アップリンクでは、コントローラ／プロセッサ６５９は、コアネットワークからの上位レイヤパケットを復元するために、トランスポートチャネルと論理チャネルとの間の逆多重化、パケットの再組立て、暗号解読、ヘッダの圧縮解除（header decompression）、制御信号処理を提供する。その後、上位レイヤパケットは、データシンク６６２に提供され、それは、Ｌ２レイヤより上位の全てのプロトコルレイヤを表す。様々な制御信号もまた、Ｌ３処理のためにデータシンク６６２に提供され得る。コントローラ／プロセッサ６５９はまた、ＨＡＲＱ動作をサポートするために、肯定応答（ＡＣＫ）および／または否定応答（ＮＡＣＫ）プロトコルを使用した誤り検出を担う。
【００３０】
[0042]アップリンクでは、データソース６６７が、コントローラ／プロセッサ６５９に上位レイヤパケットを提供するために使用される。データソース６６７は、Ｌ２レイヤより上位の全てのプロトコルレイヤを表す。基地局６１０によるダウンリンク送信に関連して説明された機能と同様に、コントローラ／プロセッサ６５９は、基地局６１０による無線リソース割振りに基づいた論理チャネルとトランスポートチャネルとの間の多重化、パケットセグメント化および並べ替え、暗号化、およびヘッダ圧縮を提供することによって、ユーザプレーンおよび制御プレーンのためのＬ２レイヤをインプリメントする。コントローラ／プロセッサ６５９はまた、ＨＡＲＱ動作、損失パケットの再送信、および基地局６１０へのシグナリングを担う。
【００３１】
[0043]基地局６１０によって送信されたフィードバックまたは基準信号からチャネル推定器６５８によって導出されたチャネル推定値は、適切なコーディングおよび変調スキームを選択するため、および空間処理を容易にするために、ＴＸプロセッサ６６８によって使用され得る。ＴＸプロセッサ６６８によって生成された空間ストリームは、別個の送信機（ＴＸ）６５４を介して異なるアンテナ６５２に提供される。各送信機（ＴＸ）６５４は、送信用のそれぞれの空間ストリームを用いてＲＦキャリアを変調する。
【００３２】
[0044]アップリンク送信は、ＵＥ６５０における受信機機能に関連して説明されたのと同様の方法で基地局６１０において処理される。各受信機（ＲＸ）６１８は、そのそれぞれのアンテナ６２０を通じて信号を受信する。各受信機（ＲＸ）６１８は、ＲＦキャリア上に変調された情報を復元し、ＲＸプロセッサ６７０にその情報を提供する。ＲＸプロセッサ６７０は、Ｌ１レイヤをインプリメントし得る。
【００３３】
[0045]コントローラ／プロセッサ６７５は、Ｌ２レイヤをインプリメントする。コントローラ／プロセッサ６７５および６５９は、それぞれ、プログラムコードおよびデータを記憶するメモリ６７６および６６０に関連付けられることができる。例えば、コントローラ／プロセッサ６７５および６５９は、タイミング、周辺インタフェース、電圧調整、電力管理、および他の制御機能を含む様々な機能を提供し得る。メモリ６７６および６６０は、コンピュータ可読媒体と呼ばれ得る。例えば、ＵＥ６５０のメモリ６６０は、ワイヤレス通信モジュール６９１を記憶し得、それは、コントローラ／プロセッサ６５９によって実行されると、本開示の態様に従ってセル再選択を促進するようにＵＥ６５０を構成する。
【００３４】
[0046]アップリンクでは、コントローラ／プロセッサ６７５は、ＵＥ６５０からの上位レイヤパケットを復元するために、トランスポートチャネルと論理チャネルとの間の逆多重化、パケットの再組立て、暗号解読、ヘッダの圧縮解除、制御信号処理を提供する。コントローラ／プロセッサ６７５からの上位レイヤパケットは、コアネットワークに提供され得る。コントローラ／プロセッサ６７５はまた、ＨＡＲＱ動作をサポートするために、ＡＣＫおよび／またはＮＡＣＫプロトコルを使用した誤り検出を担う。
【００３５】
[0047]いくつかのネットワークは、複数の無線アクセス技術とともに配置（deployed）され得る。図７は、それに限定されるものではないが、ＧＳＭ（第２世代（２Ｇ））、ＴＤ−ＳＣＤＭＡ（第３世代（３Ｇ））、ＬＴＥ（第４世代（４Ｇ））および第５世代（５Ｇ）のような、複数のタイプの無線アクセス技術（ＲＡＴ）を利用するネットワークを例示する。複数のＲＡＴは、キャパシティを増大させるために、ネットワークにおいて配置され得る。典型的に、２Ｇおよび３Ｇは、４Ｇよりも低い優先度で構成（configured）される。加えて、ＬＴＥ（４Ｇ）内の複数の周波数は、等しいまたは異なる優先度の構成を有し得る。再選択のルールは、規定されたＲＡＴ優先度に依存する。異なるＲＡＴは、等しい優先度で構成されない。
【００３６】
[0048]一例では、地理的エリア７００は、ＲＡＴ−１セル７０２およびＲＡＴ−２セル７０４を含む。一例では、ＲＡＴ−１セルは、２Ｇまたは３Ｇセルであり、ＲＡＴ−２セルは、ＬＴＥセルである。しかしながら、当業者であれば、他のタイプの無線アクセス技術がこれらセル内で利用され得ることを理解するであろう。ユーザ機器（ＵＥ）７０６が、１つのセル、例えば、ＲＡＴ−１セル７０２、から別のセル、例えば、ＲＡＴ−２セル７０４、へ移動し得る。ＵＥ７０６の移動は、ハンドオーバまたはセル再選択を指定し得る。
【００３７】
[0049]ハンドオーバまたはセル再選択は、ＵＥが、第１のＲＡＴのカバレッジエリアから第２のＲＡＴのカバレッジエリアへ移動するときに実行され得、あるいは、その逆も同様である。ハンドオーバまたはセル再選択はまた、第１のＲＡＴネットワークと第２のＲＡＴネットワークとの間のトラフィックバランシング（traffic balancing）があるとき、１つのネットワークにおけるカバレッジの穴またはカバレッジの欠如があるときに実行され得、または、ＵＥによる所望の通信のタイプに基づくことができる。ハンドオーバまたはセル再選択プロセスの一部として、第１のシステムまたはＲＡＴ（例えば、ＴＤ−ＳＣＤＭＡ）の接続モードまたは間欠受信モード（ＤＲＸ）にある間、ＵＥは、１つまたは複数の隣接セルとのアクティビティを実行するように指定され得る。例えば、ＵＥは、第１の、第２の、および／または第３のＲＡＴ（例えば、ＧＳＭセル、ＬＴＥまたはＴＤーＳＣＤＭＡ）の隣接セルの測定を実行し得る。間欠受信モードは、アイドルモード、セルページングチャネル（ＣＥＬＬ＿ＰＣＨ）モード、順方向アクセスチャネル（ＦＡＣＨ）およびユニバーサル地上無線アクセスネットワーク（ＵＴＲＡＮ）登録エリアページングチャネル（ＵＲＡ＿ＰＣＨ）モードを含み得る。
【００３８】
[0050]ＵＥは、第２の（および／または第３の）ＲＡＴにおいてアクティビティを実行するために、第１のＲＡＴからチューンアウェイ（tune away）し得る。チューンアウェイしているときに実行されるアクティビティは、指示されたページングインジケータチャネル（ＰＩＣＨ）およびページングチャネル（ＰＣＨ）を選択およびモニタすること、第２の（または第３の）ＲＡＴのページング情報についてモニタすること、第２の（または第３の）ＲＡＴのシステム情報（例えば、第２の（または第３の）ＲＡＴの周波数）をモニタおよび収集すること、第１のＲＡＴの（１つまたは複数の）セルおよび第２の（または第３の）ＲＡＴの隣接セルについて測定（例えば、インター無線アクセス技術測定（inter radio access technology measurements））を実行すること、セル再選択評価プロセスを実行すること、および／またはセル再選択トリガ条件が満たされているとき、第２の（または第３の）ＲＡＴの隣接セルに再選択するために、セル再選択を実行することを含み得る。
【００３９】
[0051]いくつかのネットワークでは、ＵＥが第１のＲＡＴのサービングセルにキャンプオン（camped on）しているまたは接続されているとき、ＵＥは、複数の隣接セルについて通知され得る。これら隣接セルは、同じＲＡＴのものであり得、異なる周波数を有し得、あるいは同じおよび／または異なる周波数を有する異なるＲＡＴのものであり得る。例えば、ＵＥは、ＴＤ−ＳＣＤＭＡセルにキャンプオンしながら、セル識別子ありまたはなしで、ＬＴＥ（登録商標）隣接周波数／セルを通知されるまたは受信し得る。隣接セル情報は、ネットワーク（例えば、ＴＤ−ＳＣＤＭＡネットワーク）からブロードキャストされ得る。いくつかの事例では、特定のＲＡＴ（例えば、ＬＴＥ）の周波数のみが、ＵＥへブロードキャストされる。
【００４０】
[0052]再選択プロシージャに従って、ＵＥは、隣接セル（例えば、ＬＴＥ隣接セル／周波数）に対してインター無線アクセス技術（ＩＲＡＴ）測定を実行する。例えば、ＵＥは、信号強度、周波数チャネル、および基地局識別コード（ＢＳＩＣ）について、第２のネットワークの隣接セルを測定し得る。その後、ＵＥは、第２のネットワークの最強のセルに接続し得る。このような測定は、インター無線アクセス技術（ＩＲＡＴ）測定と呼ばれ得る。
【００４１】
[0053]ＩＲＡＴ測定中、セル再選択トリガ条件が、再選択タイマ（例えば、Ｔｒｅｓｅｌｅｃｔｉｏｎ）の満了時に連続的に満たされている（continuously met）場合、サービングＲＡＴは、ＩＲＡＴ測定中にターゲットＲＡＴの検出されたセルへのセル再選択を開始するように、ターゲットＲＡＴに通知する。再選択タイマは、いつＵＥが新しいセルに再選択し得るかを管理する（governs）。ＵＥは、再選択タイマの満了まで、所望のターゲットＲＡＴに再選択することを許可されないことがあり得る。したがって、ＵＥは、セル再選択トリガ条件が、再選択タイマの満了時に連続的に満たされている場合、ターゲットセルに再選択する。例えば、ＵＥのＴＤ−ＳＣＤＭＡモジュールは、ＩＲＡＴ測定中に検出されたターゲットＬＴＥセル／周波数へのセル再選択を開始するように、ＵＥのＬＴＥモジュールに通知する。その後、ＵＥのＬＴＥモジュールは、検出されたターゲットＬＴＥセルのＬＴＥ周波数上で捕捉（acquisition on）を開始する。その後、ＬＴＥモジュールは、ブロードキャストされたシステム情報ブロック（ＳＩＢ）の収集後、ターゲットＬＴＥセルにキャンプオンするように試みる。
【００４２】
[0054]述べられたように、ＵＥが、トリガ条件がセル再選択について満たされていると決定した後、ＵＥは、新しいセルに再選択するために、ＵＥについての再選択の満了まで待つ。しかしながら、いくつかの事例では、再選択タイマの再選択の満了を待つことは、ＲＡＴ障害イベント（RAT failure event）をもたらす。例えば、ＲＡＴ障害イベントは、ＵＥが、劣化したサービングセル上で（of）呼のセットアップを実行するように試みるときの、呼のセットアップ失敗または呼の切断（dropped call）を含み得る。
【００４３】
高速なセル再選択
[0055]本開示の態様は、サービングセルの信号品質がしきい値を下回るとき、サービングＲＡＴのセル／周波数の信号品質と、隣接ＲＡＴの信号品質との間の差に基づいて、第１の無線アクセス技術（ＲＡＴ）から第２のＲＡＴへのセル再選択を促進することに向けられる。ユーザ機器（ＵＥ）が、第１のＲＡＴにキャンプオンしており、かつＵＥが第２のＲＡＴのカバレッジエリア内にあるとき、ＵＥは、（１つまたは複数のセルに対応する）１つまたは複数の周波数をサーチし、１つまたは複数の検出されたセルの信号品質を測定する。測定の結果が、セル再選択トリガ条件が満たされていることを示すとき、ＵＥは、セル再選択タイマまたはトリガ時間（time to trigger）を開始する。例えば、ＵＥは、サービングセルの信号品質が第１のしきい値を下回るとき、第２のＲＡＴの隣接セルの信号品質が、隣接セルしきい値を超えると決定されたときに、隣接セルに再選択するための再選択タイマを開始する。
【００４４】
[0056]本開示の一態様では、ＵＥは、サービングセルの信号品質が第２のしきい値を下回るとき、サービングセルの信号品質と隣接セルの信号品質との間の差に基づいて、隣接セルへの再選択を高速化する。例えば、ＵＥは、サービングセルの信号品質と隣接セルの信号品質との間の差が、第３のしきい値を上回るとき、セル再選択を高速化する。セル再選択は、再選択タイマのスケジュールされた満了よりも前に、隣接セルに再選択することによって促進される。再選択は、ＵＥ上の呼のセットアップよりも前に生じ得る。ＵＥは、隣接セルへの再選択を促進することによって、呼の切断または呼の失敗を回避する。本開示の一態様では、しきい値の各々は、ＵＥおよび／またはネットワークによって独立に定義される。
【００４５】
[0057]セル再選択は、どのセルにキャンプオンするかを決定するために、アイドルモードにあるユーザ機器（ＵＥ）によってトリガされるプロシージャである。セル再選択は、測定された無線周波数（ＲＦ）品質およびネットワークからブロードキャストされるシステムパラメータに依拠し得る。例えば、モバイルＵＥは、サービングセルおよび隣接セルの信号品質を観測する（例えば、サーチするおよび／または測定する）。
【００４６】
[0058]アイドルモードでは（ならびに、接続モードにおける（例えば、順方向アクセスチャネル（ＦＡＣＨ）／セルページングチャネル（ＣＥＬＬ＿ＰＣＨ）／ユニバーサル地上無線アクセスネットワーク（ＵＴＲＡＮ）登録エリアページングチャネル（ＵＲＡ＿ＰＣＨ）状態では）、ＵＥは、サービングセル測定、隣接セル測定、およびセル再選択のような、様々なアクティビティを実行する。
【００４７】
[0059]システム情報ブロック（ＳＩＢ）で生じた構成とともに（with configuration）、無線リソース制御（ＲＲＣ）プロトコルに従って測定要求を受信すると、ＵＥのプロトコルレイヤ（レイヤ１）が、測定のためにＵＥを構成（configures）し、無線リソース制御（ＲＲＣ）によって構成されているように、サービングセルおよび他のセル（イントラ／インター周波数／インター無線アクセス技術（ＲＡＴ））を測定することを開始する。
【００４８】
[0060]ＵＥは、サービングセルの信号品質が、ＵＥにサービスするための基準（例えば、信号強度しきい値）を満たすかどうかを決定するために、サービングセルの信号品質を評価する。ＵＥはまた、隣接セルの信号品質が基準を満たすかどうかを決定するために、隣接セルの信号品質を評価し、隣接セルをそれらの測定された信号品質に基づいてランク付けする。
【００４９】
[0061]隣接セルについてのセル再選択基準が満たされている場合には、ＵＥは、隣接セル（例えば、最高のランクが付けられた隣接セル）への再選択を開始する。
【００５０】
[0062]本開示の態様は、それに限定されるものではないが、ユニバーサルモバイルテレコミュニケーションシステム（ＵＭＴＳ）、時分割符号分割多元接続（ＴＤ−ＣＤＭＡ）、およびロングタームエボリューション（ＬＴＥ）のような、ネットワークに適用され得る高速なセル再選択スキームに向けられる。
【００５１】
[0063]図８は、サービングセルおよびイントラ／インター周波数セルの測定および評価を例示する図である。サービングセルの測定は、間欠受信（ＤＲＸ）サイクルごとに一回、サービングセルＳ基準（例えば、信号品質基準）を測定および評価することを含み得る。定義された数（Ｎｓｅｒｖ）の連続したＤＲＸサイクルの間、Ｓ基準が満たされなかった（the S criteria failed）場合、ＵＥは、隣接セル測定を開始する。
【００５２】
[0064]イントラ／インター周波数セルの測定のために、ＵＥは、Ｓｓｅｒｖ（例えば、サービングセルの信号品質）＜＝ＳｉｎｔｒａＳｅａｒｃｈ（例えば、イントラ周波数しきい値）である場合、イントラ周波数測定を実行する。ＵＥは、Ｓｓｅｒｖ＜＝ＳｉｎｔｅｒＳｅａｒｃｈ（例えば、インター周波数しきい値）である場合、インター周波数測定を実行し、
【００５３】
【数１】
2020114010.tif 000003
【００５４】
である。
【００５５】
[0065]セル再選択は、Ｔｒｅｓｅｌｅｃｔｉｏｎが満了したときにトリガされる。
【００５６】
[0066]図９は、本開示の態様による、例となるフロー図を例示し、次の変数を含む：    ここで、Ｑｍｅａｓ，ｓは、サービングセルの信号品質／強度測定値（例えば、基準信号受信品質）であり、
Ｑｈｙｓｔｓ，ｓは、サービングセルのヒステリシス値（hysteresis value）であり、
Ｑｍｅａｓ，ｎは、隣接セルの信号品質／強度測定値であり、
Ｑｏｆｆｓｅｔ，ｎは、サービングセルと隣接セルとの間のオフセットであり、
Ｓｒｘｌｅｖ（例えば、ＳまたはＳｓｅｒｖｉｎｇｃｅｌｌ）は、サービングセルの信号品質のような、セル再選択受信レベルまたは値であり（a cell reselection received level or value such as signal quality of the serving cell）、
Ｑｒｘｌｅｖｍｉｎは、セルにおける最小の指定されたまたは必要とされる受信レベルであり、
Ｑｒｘｌｅｖｍｉｎｏｆｆｓｅｔは、セルにおける最小の指定されたまたは必要とされる受信レベルからのオフセットであり、
Ｐｐｏｗｅｒｃｌａｓｓは、ＵＥの送信電力であり、
Ｐｍａｘは、最大送信電力であり、
Ｒｓは、サービングセルランクであり、
Ｒｎは、隣接セル（非サービングセル）ランクである。
【００５７】
[0067]変数Ｓ ｉｎｔｒａｓｅａｒｃｈ（例えば、イントラ周波数しきい値）は、ＵＥが現在のセルにキャンプオンしながら、イントラ周波数セルの測定を行わなければならないかどうかを制御する。さらに、Ｓ ｉｎｔｅｒｓｅａｒｃｈ（例えば、インター周波数しきい値）は、ＵＥが現在のセルにキャンプオンしながら、インター周波数セルの測定を行わなければならないかどうかを制御する。Ｔｒｅｓｅｌｅｃｔｉｏｎ（再選択タイマ）は、いつＵＥが新しいセルに再選択し得るかを管理する。Ｑｒｘｌｅｖｍｅａｓは、現在のセルの基準信号受信電力（ＲＳＲＰ）である。Ｐｃｏｍｐは、アップリンクおよび／またはダウンリンク通信についての電力補償値である。
【００５８】
[0068]現在のアプローチに伴う問題は、遅い再選択による呼のセットアップ失敗を含み得る。例えば、ネットワーク（例えば、ＴＤ−ＳＣＤＭＡ、ＷＣＤＭＡ（登録商標）またはＬＴＥ）の劣悪なサービングセル（bad serving cell）によって引き起こされる無線リンク障害（ＲＬＦ）による呼のセットアップ失敗。
【００５９】
[0069]遅い再選択は、接続モードのための呼のセットアップ中に、呼の切断を引き起こし得る。ＵＥが接続モードにあり、より良いセルに切り替えることを望むとき、ハンドオーバメッセージは、例えば、ＲＲＣ接続セットアップ後の呼のセットアップのための、測定制御メッセージおよび無線ベアラ（ＲＢ）メッセージ（例えば、ＲＢ３）によって容易に遅延される。ダウンリンク（ＤＬ）状態は、特に、帯域幅が制限されたケースについて、急速に劣化し得、ＵＥが完全なハンドオーバメッセージを受信する前に呼の切断をもたらす。
【００６０】
[0070]この種の呼のセットアップ失敗は、ＵＥが、呼のセットアップの前により良いセルにキャンプオンする、すなわち、サービングセルが不十分であり（例えば、サービングセルの受信信号コード電力（ＲＳＣＰ）または信号品質がしきい値よりも低い）、はるかにより良い隣接セルが存在している場合、トリガ時間（ＴＴＴ：time to trigger）または再選択タイマが満了する前に、セル再選択プロシージャをトリガする、チャンスを有する場合に回避され得る。
【００６１】
[0071]本開示の態様は、ＷＣＤＭＡ、ＴＤ−ＳＣＤＭＡ、ＬＴＥまたは他の無線アクセス技術（ＲＡＴ）に適用可能である。
【００６２】
[0072]図１０は、サービングセルおよびイントラ／インター周波数セルの測定および評価を例示するブロック図である。セル再選択は、以下の条件が満たされるとき、再選択タイマ、例えば、Ｔ＿ｒｅｓｅｌｅｃｔｉｏｎ、の満了の前に先にトリガされる：
【００６３】
【数２】
2020114010.tif 000004
【００６４】
[0073]Ｔｒｅｓｈｆａｓｔｒｅｓｅｌおよびｄｅｌｔａは、異なるシステムについて異なるように構成され得、ここで、Ｔｒｅｓｈｆａｓｔｒｅｓｅｌは、高速な再選択のための信号品質／強度しきい値である。
【００６５】
[0074]図１１は、本開示の一態様による、再選択を促進するためのワイヤレス通信方法１１００を示す。ブロック１１０２において、ユーザ機器（ＵＥ）が、サービングセルの信号品質が第１のしきい値を下回ると決定されたとき、隣接セルに再選択するための再選択タイマを開始する。ブロック１１０４において、ＵＥは、サービングセルの信号品質が第２のしきい値を下回るとき、サービングセルの信号品質と隣接セルの信号品質との間の差に基づいて、隣接セルへの再選択を高速化する。
【００６６】
[0075]図１２は、処理システム１２１４を用いた装置１２００のためのハードウェアインプリメンテーションの例を例示する図である。処理システム１２１４は、概してバス１２２４によって表される、バスアーキテクチャを用いてインプリメントされ得る。バス１２２４は、処理システム１２１４の特定のアプリケーションおよび全体的な設計制約に依存して、任意の数の相互接続バスおよびブリッジを含み得る。バス１２２４は、プロセッサ１２２２、モジュール１２０２、１２０４、および非一時的なコンピュータ可読媒体１２２６によって表された、１つまたは複数のプロセッサおよび／またはハードウェアモジュールを含む様々な回路を共にリンクする。バス１２２４はまた、タイミングソース、周辺機器、電圧レギュレータ、および電力管理回路のような、様々な他の回路をリンクし得、これらは、当該技術分野において周知であり、したがって、これ以上は説明されない。
【００６７】
[0076]装置は、トランシーバ１２３０に結合された処理システム１２１４を含む。トランシーバ１２３０は、１つまたは複数のアンテナ１２２０に結合される。トランシーバ１２３０は、送信媒体を介して様々な他の装置と通信することを可能にする。処理システム１２１４は、非一時的なコンピュータ可読媒体１２２６に結合されたプロセッサ１２２２を含む。プロセッサ１２２２は、コンピュータ可読媒体１２２６に記憶されたソフトウェアの実行を含む汎用処理を担う。ソフトウェアは、プロセッサ１２２２によって実行されると、処理システム１２１４に、任意の特定の装置に関して説明された様々な機能を実行させる。コンピュータ可読媒体１２２６はまた、ソフトウェアを実行するとき、プロセッサ１２２２によって操作されるデータを記憶するために使用され得る。
【００６８】
[0077]処理システム１２１４は、サービングセルの信号品質が第１のしきい値を下回ると決定されたとき、隣接セルに再選択するための再選択タイマを開始するためのタイミングモジュール１２０２を含む。処理システム１２１４はまた、サービングセルの信号品質が第２のしきい値を下回るとき、サービングセルの信号品質と隣接セルの信号品質との間の差に基づいて、隣接セルへの再選択を高速化するための再選択モジュール１２０４を含む。モジュール１２０２および１２０４は、プロセッサ１２２２において実行中であり、コンピュータ可読媒体１２２６に存在する／記憶されたソフトウェアモジュール、プロセッサ１２２２に結合された１つまたは複数のハードウェアモジュール、またはそれらの何らかの組合せであり得る。処理システム１２１４は、図６のＵＥ６５０のコンポーネントであり得、メモリ６６０、および／またはコントローラ／プロセッサ６５９を含み得る。
【００６９】
[0078]一構成では、ＵＥ６５０のような装置が、再選択タイマを開始するための手段を含むワイヤレス通信のために構成される。一態様では、再選択タイマを開始する手段は、前述の手段を実行するように構成された、受信プロセッサ６５６、コントローラ／プロセッサ６５９、メモリ６６０、ワイヤレス通信モジュール６９１、タイミングモジュール１２０２、および／または処理システム１２１４であり得る。一構成では、これら手段機能は、前述の構造に対応する。別の態様では、前述の手段は、再選択タイマを開始する手段によって記載された機能を実行するように構成されたモジュールまたは任意の装置であり得る。
【００７０】
[0079]ＵＥ６５０はまた、隣接セルへの再選択を高速化するための手段を含むように構成される。一態様では、高速化する手段は、識別する手段によって記載された機能を実行するように構成された、アンテナ６５２／９２０、受信機６５４、トランシーバ１２３０、受信プロセッサ６５６、コントローラ／プロセッサ６５９、メモリ６６０、再選択モジュール１２０４、および／または処理システム１２１４を含み得る。一構成では、これら手段および機能は、前述の構造に対応する。別の態様では、前述の手段は、高速化する手段によって記載された機能を実行するように構成されたモジュールまたは任意の装置であり得る。
【００７１】
[0080]テレコミュニケーションシステムのいくつかの態様が、ＬＴＥ、ＴＤ−ＳＣＤＭＡおよびＧＳＭシステムを参照して提示された。当業者が容易に理解するであろうように、本開示全体を通して説明された様々な態様は、４Ｇシステム、５Ｇシステム、およびそれ以降のもののような、高いスループットおよび低いレイテンシを有するそれらを含む、他のテレコミュニケーションシステム、ネットワークアーキテクチャ、および通信規格に拡張され得る。例として、様々な態様は、Ｗ−ＣＤＭＡ、高速ダウンリンクパケットアクセス（ＨＳＤＰＡ）、高速アップリンクパケットアクセス（ＨＳＵＰＡ）、高速パケットアクセスプラス（ＨＳＰＡ＋）およびＴＤ−ＣＤＭＡのような、他のＵＭＴＳシステムに拡張され得る。様々な態様はまた、（ＦＤＤ、ＴＤＤ、または両方のモードでの）ロングタームエボリューション（ＬＴＥ）、（ＦＤＤ、ＴＤＤ、または両方のモードでの）ＬＴＥ−Ａｄｖａｎｃｅｄ（ＬＴＥ−Ａ）、ＣＤＭＡ２０００、エボリューションデータオプティマイズド（ＥＶ−ＤＯ）、ウルトラモバイルブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、ウルトラワイドバンド（ＵＷＢ）、Ｂｌｕｅｔｏｏｔｈ（登録商標）、および／または他の適切なシステムを用いるシステムに拡張され得る。用いられる実際の電気通信規格、ネットワークアーキテクチャ、および／または通信規格は、特定のアプリケーションおよびシステムに課せられる全体的な設計制約に依存するであろう。
【００７２】
[0081]いくつかのプロセッサは、様々な装置および方法に関連して説明された。これらのプロセッサは、電子ハードウェア、コンピュータソフトウェア、またはこれらの任意の組合せを使用してインプリメントされ得る。このようなプロセッサが、ハードウェアとしてインプリメントされるか、あるいはソフトウェアとしてインプリメントされるかは、特定のアプリケーションおよびシステムに課せられる全体的な設計制約に依存するであろう。例として、本開示で提示されるプロセッサ、プロセッサの任意の部分、またはプロセッサの任意の組合せは、マイクロプロセッサ、マイクロコントローラ、デジタルシグナルプロセッサ（ＤＳＰ）、フィールドプログラマブルゲートアレイ（ＦＰＧＡ）、プログラマブル論理デバイス（ＰＬＤ）、ステートマシン、ゲート論理、個別ハードウェア回路、および本開示全体を通して説明された様々な機能を実行するように構成された他の適切な処理コンポーネントを用いてインプリメントされ得る。本開示で提示されるプロセッサ、プロセッサの任意の部分、またはプロセッサの任意の組合せの機能は、マイクロプロセッサ、マイクロコントローラ、ＤＳＰ、または他の適切なプラットフォームによって実行されるソフトウェアを用いてインプリメントされ得る。
【００７３】
[0082]ソフトウェアは、ソフトウェア、ファームウェア、ミドルウェア、マイクロコード、ハードウェア記述言語、またはそれ以外の名称で呼ばれるかにかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数（functions）、等を意味するように広く解釈されるべきである。ソフトウェアは、非一時的なコンピュータ可読媒体に存在し得る。コンピュータ可読媒体は、例として、磁気記憶デバイス（例えば、ハードディスク、フロッピー（登録商標）ディスク、磁気ストリップ）、光ディスク（例えば、コンパクトディスク（ＣＤ）、デジタル多目的ディスク（ＤＶＤ））、スマートカード、フラッシュメモリデバイス（例えば、カード、スティック、キードライブ）、ランダムアクセスメモリ（ＲＡＭ）、読取専用メモリ（ＲＯＭ）、プログラマブルＲＯＭ（ＰＲＯＭ）、消去可能なＰＲＯＭ（ＥＰＲＯＭ）、電気的に消去可能なＰＲＯＭ（ＥＥＰＲＯＭ（登録商標））、レジスタ、またはリムーバブルディスクのようなメモリを含み得る。メモリは、本開示全体を通して提示された様々な態様において、プロセッサとは別個に示されているが、メモリは、プロセッサに内蔵され得る（例えば、キャッシュまたはレジスタ）。
【００７４】
[0083]コンピュータ可読媒体は、コンピュータプログラム製品において具現化され得る。例として、コンピュータプログラム製品は、パッケージング材料中のコンピュータ可読媒体を含み得る。当業者であれば、特定のアプリケーションおよびシステム全体に課せられる全体的な設計制約に依存して、本開示全体を通して提示された、説明された機能をインプリメントするのに最良の方法を認識するであろう。
【００７５】
[0084]「信号品質」という用語は、非限定的であることが理解されるべきである。信号品質は、受信信号コード電力（ＲＳＣＰ）、基準信号受信電力（ＲＳＲＰ）、基準信号受信品質（ＲＳＲＱ）、受信信号強度インジケータ（ＲＳＳＩ）、信号対雑音比（ＳＮＲ）、信号対干渉プラス雑音比（ＳＩＮＲ）、等のような、任意のタイプの信号測定基準をカバーするように意図される。
【００７６】
[0085]開示された方法におけるステップの特定の順序または階層は、例示的なプロセスの例示であることが理解されるべきである。設計の選択に基づいて、方法におけるステップの特定の順序または階層は、再構成され得ることが理解される。添付の方法の請求項は、様々なステップの要素をサンプルの順序で提示したものであり、そこに明確に記載されていない限り、提示された特定の順序または階層に限定されるようには意図されない。
【００７７】
[0086]先の説明は、いかなる当業者であっても、ここで説明された様々な態様の実現を可能にするように提供された。これらの態様への様々な修正は、当業者には容易に明らかとなり、ここに定義された一般原理は、他の態様に適用され得る。したがって、特許請求の範囲は、ここに示された態様に限定されるようには意図されず、特許請求の範囲の文言と一致する全範囲が与えられるものとし、ここで、単数形の要素への参照は、別途明記されていない限り、「１つ、および１つのみ」を意味するようには意図されず、「１つまたは複数」を意味するように意図される。別段に明記されていない限り、「いくつかの（some）」という用語は、１つまたは複数を指す。アイテムのリスト「のうちの少なくとも１つ」を指す表現は、単一のメンバ（members）を含む、それらのアイテムの任意の組合せを指す。例として、「ａ、ｂ、またはｃのうちの少なくとも１つ」は、ａ、ｂ、ｃ、ａとｂ、ａとｃ、ｂとｃ、およびａとｂとｃをカバーするように意図される。当業者に知られているか、または後に知られることとなる、本開示全体を通して説明された様々な態様の要素に対する全ての構造的および機能的な同等物は、参照によってここに明確に組み込まれ、特許請求の範囲によって包含されるように意図される。さらに、ここで開示されたものはいずれも、そのような開示が特許請求の範囲において明記されているかどうかにかかわらず、公衆に放棄されるようには意図されない。いずれの請求項の要素も、その要素が「〜のための手段（means for）」という表現を使用して明確に記載されていない限り、または、方法の請求項のケースでは、その要素が「〜のためのステップ（step for）」という表現を使用して記載されていない限り、米国特許法第１１２条第６パラグラフの規定のもとで解釈されるべきではない。
【図１】
2020114010.tif 000005
【図２】
2020114010.tif 000006
【図３】
2020114010.tif 000007
【図４】
2020114010.tif 000008
【図５】
2020114010.tif 000009
【図６】
2020114010.tif 000010
【図７】
2020114010.tif 000011
【図８】
2020114010.tif 000012
【図９】
2020114010.tif 000013
【図１０】
2020114010.tif 000014
【図１１】
2020114010.tif 000015
【図１２】
2020114010.tif 000016
【手続補正書】
【提出日】令和2年4月7日(2020.4.7)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
サービングセルの信号品質が第１のしきい値を下回ると決定されたとき、および隣接セルの信号品質が隣接セルしきい値を超えるとき、前記隣接セルに再選択するための再選択タイマを開始することと、
前記サービングセルの前記信号品質が第２のしきい値を下回るとき、前記サービングセルの前記信号品質と前記隣接セルの前記信号品質との間の差に少なくとも部分的に基づいて、前記隣接セルへの再選択を高速化することと、ここにおいて、前記隣接セルへの前記再選択を高速化することは、前記再選択タイマを変更することなく、前記再選択タイマのスケジュールされた満了よりも前に、前記隣接セルに再選択することを備える、
を備える、方法。
【請求項２】
前記サービングセルの前記信号品質と前記隣接セルの前記信号品質との間の前記差が、第３のしきい値を上回るとき、前記隣接セルへの前記再選択を高速化することをさらに備える、請求項１に記載の方法。
【請求項３】
前記再選択することは、ユーザ機器上の呼のセットアップよりも前に生じる、請求項１に記載の方法。
【請求項４】
前記第１のしきい値は、ユーザ機器（ＵＥ）により定義されたしきい値である、請求項１に記載の方法。
【請求項５】
ワイヤレス通信のための装置であって、
メモリユニットと、
前記メモリユニットに結合された少なくとも１つのプロセッサと
を備え、前記少なくとも１つのプロセッサは、
サービングセルの信号品質が第１のしきい値を下回ると決定されたとき、および隣接セルの信号品質が隣接セルしきい値を超えるとき、前記隣接セルに再選択するための再選択タイマを開始することと、
前記サービングセルの前記信号品質が第２のしきい値を下回るとき、前記サービングセルの前記信号品質と前記隣接セルの前記信号品質との間の差に少なくとも部分的に基づいて、前記隣接セルへの再選択を高速化することと、ここにおいて、前記少なくとも１つのプロセッサは、前記再選択タイマを変更することなく、前記再選択タイマのスケジュールされた満了よりも前に、前記隣接セルに再選択することによって、前記再選択を高速化するようにさらに構成される、
を行うように構成される、装置。
【請求項６】
前記少なくとも１つのプロセッサは、前記サービングセルの前記信号品質と前記隣接セルの前記信号品質との間の前記差が、第３のしきい値を上回るとき、前記隣接セルへの前記再選択を高速化するようにさらに構成される、請求項５に記載の装置。
【請求項７】
前記再選択することは、ユーザ機器上の呼のセットアップよりも前に生じる、請求項５に記載の装置。
【請求項８】
前記第１のしきい値は、ユーザ機器（ＵＥ）により定義されたしきい値である、請求項５に記載の装置。
【請求項９】
ワイヤレス通信のための装置であって、
サービングセルの信号品質が第１のしきい値を下回ると決定されたとき、および隣接セルの信号品質が隣接セルしきい値を超えるとき、前記隣接セルに再選択するための再選択タイマを開始するための手段と、
前記サービングセルの前記信号品質が第２のしきい値を下回るとき、前記サービングセルの前記信号品質と前記隣接セルの前記信号品質との間の差に少なくとも部分的に基づいて、前記隣接セルへの再選択を高速化するための手段と、ここにおいて、前記隣接セルへの前記再選択を高速化するための前記手段は、前記再選択タイマを変更することなく、前記再選択タイマのスケジュールされた満了よりも前に、前記隣接セルに再選択するための手段を備える、
を備える、装置。
【請求項１０】
前記サービングセルの前記信号品質と前記隣接セルの前記信号品質との間の前記差が、第３のしきい値を上回るとき、前記隣接セルへの前記再選択を高速化するための手段をさらに備える、請求項９に記載の装置。
【請求項１１】
前記再選択することは、ユーザ機器上の呼のセットアップよりも前に生じる、請求項９に記載の装置。
【請求項１２】
前記第１のしきい値は、ユーザ機器（ＵＥ）により定義されたしきい値である、請求項９に記載の装置。
【請求項１３】
プログラムコードを記録した非一時的なコンピュータ可読媒体であって、前記プログラムコードは、プロセッサによって実行され、
サービングセルの信号品質が第１のしきい値を下回ると決定されたとき、および隣接セルの信号品質が隣接セルしきい値を超えるとき、前記隣接セルに再選択するための再選択タイマを開始するためのプログラムコードと、
前記サービングセルの前記信号品質が第２のしきい値を下回るとき、前記サービングセルの前記信号品質と前記隣接セルの前記信号品質との間の差に少なくとも部分的に基づいて、前記隣接セルへの再選択を高速化するためのプログラムコードと、ここにおいて、前記隣接セルへの前記再選択を高速化するための前記プログラムコードは、前記再選択タイマを変更することなく、前記再選択タイマのスケジュールされた満了よりも前に、前記隣接セルに再選択するためのプログラムコードをさらに備える、
を備える、非一時的なコンピュータ可読媒体。
【請求項１４】
前記プログラムコードは、前記サービングセルの前記信号品質と前記隣接セルの前記信号品質との間の前記差が、第３のしきい値を上回るとき、前記隣接セルへの前記再選択を高速化するためのプログラムコードをさらに備える、請求項１３に記載の非一時的なコンピュータ可読媒体。
【請求項１５】
前記再選択することは、ユーザ機器上の呼のセットアップよりも前に生じる、請求項１３に記載の非一時的なコンピュータ可読媒体。
【請求項１６】
前記第１のしきい値は、ユーザ機器（ＵＥ）により定義されたしきい値である、請求項１３に記載の非一時的なコンピュータ可読媒体。
【手続補正２】
【補正対象書類名】明細書
【補正対象項目名】００７７
【補正方法】変更
【補正の内容】
【００７７】
[0086]先の説明は、いかなる当業者であっても、ここで説明された様々な態様の実現を可能にするように提供された。これらの態様への様々な修正は、当業者には容易に明らかとなり、ここに定義された一般原理は、他の態様に適用され得る。したがって、特許請求の範囲は、ここに示された態様に限定されるようには意図されず、特許請求の範囲の文言と一致する全範囲が与えられるものとし、ここで、単数形の要素への参照は、別途明記されていない限り、「１つ、および１つのみ」を意味するようには意図されず、「１つまたは複数」を意味するように意図される。別段に明記されていない限り、「いくつかの（some）」という用語は、１つまたは複数を指す。アイテムのリスト「のうちの少なくとも１つ」を指す表現は、単一のメンバ（members）を含む、それらのアイテムの任意の組合せを指す。例として、「ａ、ｂ、またはｃのうちの少なくとも１つ」は、ａ、ｂ、ｃ、ａとｂ、ａとｃ、ｂとｃ、およびａとｂとｃをカバーするように意図される。当業者に知られているか、または後に知られることとなる、本開示全体を通して説明された様々な態様の要素に対する全ての構造的および機能的な同等物は、参照によってここに明確に組み込まれ、特許請求の範囲によって包含されるように意図される。さらに、ここで開示されたものはいずれも、そのような開示が特許請求の範囲において明記されているかどうかにかかわらず、公衆に放棄されるようには意図されない。いずれの請求項の要素も、その要素が「〜のための手段（means for）」という表現を使用して明確に記載されていない限り、または、方法の請求項のケースでは、その要素が「〜のためのステップ（step for）」という表現を使用して記載されていない限り、米国特許法第１１２条第６パラグラフの規定のもとで解釈されるべきではない。
以下に本願の出願当初の特許請求の範囲に記載された発明を付記する。
［Ｃ１］
ワイヤレス通信のための方法であって、
サービングセルの信号品質が第１のしきい値を下回ると決定されたとき、隣接セルに再選択するための再選択タイマを開始することと、
前記サービングセルの前記信号品質が第２のしきい値を下回るとき、前記サービングセルの前記信号品質と前記隣接セルの前記信号品質との間の差に少なくとも部分的に基づいて、前記隣接セルへの再選択を高速化することと
を備える方法。
［Ｃ２］
前記サービングセルの前記信号品質と前記隣接セルの前記信号品質との間の前記差が、第３のしきい値を上回るとき、前記隣接セルへの前記再選択を高速化することをさらに備える、Ｃ１に記載の方法。
［Ｃ３］
前記隣接セルへの前記再選択を高速化することは、前記再選択タイマのスケジュールされた満了よりも前に、前記隣接セルに再選択することを備える、Ｃ１に記載の方法。
［Ｃ４］
前記再選択することは、ユーザ機器上の呼のセットアップよりも前に生じる、Ｃ１に記載の方法。
［Ｃ５］
前記第１のしきい値は、ユーザ機器（ＵＥ）により定義されたしきい値である、Ｃ１に記載の方法。
［Ｃ６］
ワイヤレス通信のための装置であって、
メモリユニットと、
前記メモリユニットに結合された少なくとも１つのプロセッサと
を備え、前記少なくとも１つのプロセッサは、
サービングセルの信号品質が第１のしきい値を下回ると決定されたとき、隣接セルに再選択するための再選択タイマを開始することと、
前記サービングセルの前記信号品質が第２のしきい値を下回るとき、前記サービングセルの前記信号品質と前記隣接セルの前記信号品質との間の差に少なくとも部分的に基づいて、前記隣接セルへの再選択を高速化することと
を行うように構成される、装置。
［Ｃ７］
前記少なくとも１つのプロセッサは、前記サービングセルの前記信号品質と前記隣接セルの前記信号品質との間の前記差が、第３のしきい値を上回るとき、前記隣接セルへの前記再選択を高速化するようにさらに構成される、Ｃ６に記載の装置。
［Ｃ８］
前記少なくとも１つのプロセッサは、前記再選択タイマのスケジュールされた満了よりも前に、前記隣接セルに再選択することによって、前記再選択を高速化するようにさらに構成される、Ｃ６に記載の装置。
［Ｃ９］
前記再選択することは、ユーザ機器上の呼のセットアップよりも前に生じる、Ｃ６に記載の装置。
［Ｃ１０］
前記第１のしきい値は、ユーザ機器（ＵＥ）により定義されたしきい値である、Ｃ６に記載の装置。
［Ｃ１１］
ワイヤレス通信のための装置であって、
サービングセルの信号品質が第１のしきい値を下回ると決定されたとき、隣接セルに再選択するための再選択タイマを開始するための手段と、
前記サービングセルの前記信号品質が第２のしきい値を下回るとき、前記サービングセルの前記信号品質と前記隣接セルの前記信号品質との間の差に少なくとも部分的に基づいて、前記隣接セルへの再選択を高速化するための手段と
を備える装置。
［Ｃ１２］
前記サービングセルの前記信号品質と前記隣接セルの前記信号品質との間の前記差が、第３のしきい値を上回るとき、前記隣接セルへの前記再選択を高速化するための手段をさらに備える、Ｃ１１に記載の装置。
［Ｃ１３］
前記隣接セルへの前記再選択を高速化するための前記手段は、前記再選択タイマのスケジュールされた満了よりも前に、前記隣接セルに再選択するための手段を備える、Ｃ１１に記載の装置。
［Ｃ１４］
前記再選択することは、ユーザ機器上の呼のセットアップよりも前に生じる、Ｃ１１に記載の装置。
［Ｃ１５］
前記第１のしきい値は、ユーザ機器（ＵＥ）により定義されたしきい値である、Ｃ１１に記載の装置。
［Ｃ１６］
プログラムコードを記録した非一時的なコンピュータ可読媒体であって、前記プログラムコードは、プロセッサによって実行され、
サービングセルの信号品質が第１のしきい値を下回ると決定されたとき、隣接セルに再選択するための再選択タイマを開始するためのプログラムコードと、
前記サービングセルの前記信号品質が第２のしきい値を下回るとき、前記サービングセルの前記信号品質と前記隣接セルの前記信号品質との間の差に少なくとも部分的に基づいて、前記隣接セルへの再選択を高速化するためのプログラムコードと
を備える、非一時的なコンピュータ可読媒体。
［Ｃ１７］
前記プログラムコードは、前記サービングセルの前記信号品質と前記隣接セルの前記信号品質との間の前記差が、第３のしきい値を上回るとき、前記隣接セルへの前記再選択を高速化するためのプログラムコードをさらに備える、Ｃ１６に記載の非一時的なコンピュータ可読媒体。
［Ｃ１８］
前記隣接セルへの前記再選択を高速化するための前記プログラムコードは、前記再選択タイマのスケジュールされた満了よりも前に、前記隣接セルに再選択するためのプログラムコードをさらに備える、Ｃ１６に記載の非一時的なコンピュータ可読媒体。
［Ｃ１９］
前記再選択することは、ユーザ機器上の呼のセットアップよりも前に生じる、Ｃ１６に記載の非一時的なコンピュータ可読媒体。
［Ｃ２０］
前記第１のしきい値は、ユーザ機器（ＵＥ）により定義されたしきい値である、Ｃ１６に記載の非一時的なコンピュータ可読媒体。
【外国語明細書】
2020114010000001.pdf